(57)【要約】  少ない部品点数で、ＬＥＤランプからの光の照射によって透光板を支持する目地部材に沿って生じる暗い領域を低減することができるエレベータの乗りかご照明装置を提供する。  このため、本発明の乗りかご照明装置は、複数の第一ＬＥＤランプを下方に向けて設けた第一ＬＥＤユニットと、複数の第二ＬＥＤランプを下方に向けて設けた第二ＬＥＤユニットと、該第一ＬＥＤユニットおよび該第二ＬＥＤユニットの下方を覆う透光板と、を具備し、前記透光板は、前記第一ＬＥＤユニットの下方に設けた第一透光プレートと、前記第二ＬＥＤユニットの下方に設けた第二透光プレートと、前記第一透光プレートと前記第二透光プレートの間に設けられ、前記第一透光プレートと前記第二透光プレートを支持する目地部材と、で構成され、前記第一ＬＥＤユニットには、前記第一ＬＥＤランプの発光が前記第二透光プレートに到達するのを防ぐ遮光壁が一体に設けられている。
2018025388.tif 000002
【特許請求の範囲】
【請求項１】
複数の第一ＬＥＤランプを下方に向けて設けた第一ＬＥＤユニットと、
複数の第二ＬＥＤランプを下方に向けて設けた第二ＬＥＤユニットと、
該第一ＬＥＤユニットおよび該第二ＬＥＤユニットの下方を覆う透光板と、
を具備するエレベータの乗りかご照明装置において、
前記透光板は、
前記第一ＬＥＤユニットの下方に設けた第一透光プレートと、
前記第二ＬＥＤユニットの下方に設けた第二透光プレートと、
前記第一透光プレートと前記第二透光プレートの間に設けられ、前記第一透光プレートと前記第二透光プレートを支持する目地部材と、で構成され、
前記第一ＬＥＤユニットには、前記第一ＬＥＤランプの発光が前記第二透光プレートに到達するのを防ぐ遮光壁が一体に設けられていることを特徴とするエレベータの乗りかご照明装置。
【請求項２】
請求項１に記載のエレベータの乗りかご照明装置において、
前記遮光壁は、最も前記第二ＬＥＤユニット側に設けられた前記第一ＬＥＤランプと前記目地部材の上端部を結ぶ直線よりも下方まで伸びていることを特徴とする乗りかごエレベータの乗りかご照明装置。
【請求項３】
請求項１または請求項２に記載のエレベータの乗りかご照明装置において、
前記第一ＬＥＤユニットは、
前記複数の第一ＬＥＤランプを設けたＬＥＤ基板と、
該ＬＥＤ基板を取り付けたプレートから構成されており、
前記遮光壁は前記プレートの端部を曲げ加工して形成されたものであることを特徴とするエレベータの乗りかご照明装置。
【請求項４】
請求項１または請求項２に記載のエレベータの乗りかご照明装置において、
前記遮光壁の外周側には、前記第一ＬＥＤランプに電力を供給する配線を保持する配線保持部が設けられていることを特徴とするエレベータの乗りかご照明装置。
【請求項５】
床と、該床に立設される側板と、出入口となるドアと、天井と、該天井に設置される照明装置を具備するエレベータであって、
前記照明装置は、
複数の第一ＬＥＤランプを下方に向けて設けた第一ＬＥＤユニットと、
複数の第二ＬＥＤランプを下方に向けて設けた第二ＬＥＤユニットと、
該第一ＬＥＤユニットおよび該第二ＬＥＤユニットの下方を覆う透光板と、
を具備し、
前記透光板は、
前記第一ＬＥＤユニットの下方に設けた第一透光プレートと、
前記第二ＬＥＤユニットの下方に設けた第二透光プレートと、
前記第一透光プレートと前記第二透光プレートの間に設けられ、前記第一透光プレートと前記第二透光プレートを支持する目地部材と、で構成され、
前記第一ＬＥＤユニットには、前記第一ＬＥＤランプの発光が前記第二透光プレートに到達するのを防ぐ遮光壁が一体に設けられていることを特徴とするエレベータ。
【発明の詳細な説明】
【技術分野】
【０００１】
本発明は、エレベータの乗りかご照明装置、および、エレベータに係り、特にＬＥＤランプから成る光源によりエレベータの乗りかご内を照明するエレベータの乗りかご照明装置に関するものである。
【背景技術】
【０００２】
本技術分野の背景技術として、特許文献１がある。この特許文献１には、目地部材に向かう照射方向に目地部材の投影像を形成するＬＥＤランプの光を遮光体によって遮光して、ＬＥＤランプの照射方向に目地部材の投影像を生じ難くし、透光板の意匠性を向上させたものが記載されている。
【先行技術文献】
【特許文献】
【０００３】
【特許文献１】特開２０１４−１０５０９４号公報
【発明の概要】
【発明が解決しようとする課題】
【０００４】
しかしながら、特許文献１では、天井に対してＬＥＤランプの光を遮光する遮光体を追加しており、部品点数の増加が生じている。【０００５】
そこで、本発明は、部品点数の増加を抑え、かつＬＥＤランプの照射方向に目地部材の投影像を生じ難くし、透光板の意匠性を向上させたエレベータ用乗りかご照明装置を提供する。
【課題を解決するための手段】
【０００６】
上記課題を解決するために、本発明のエレベータの乗りかご照明装置は、複数の第一ＬＥＤランプを下方に向けて設けた第一ＬＥＤユニットと、複数の第二ＬＥＤランプを下方に向けて設けた第二ＬＥＤユニットと、該第一ＬＥＤユニットおよび該第二ＬＥＤユニットの下方を覆う透光板と、を具備し、前記透光板は、前記第一ＬＥＤユニットの下方に設けた第一透光プレートと、前記第二ＬＥＤユニットの下方に設けた第二透光プレートと、前記第一透光プレートと前記第二透光プレートの間に設けられ、前記第一透光プレートと前記第二透光プレートを支持する目地部材と、で構成され、前記第一ＬＥＤユニットには、前記第一ＬＥＤランプの発光が前記第二透光プレートに到達するのを防ぐ遮光壁が一体に設けられている。
【発明の効果】
【０００７】
本発明によれば、目地部材に向かう照射方向に目地部材の投影像を形成するＬＥＤランプの光が、ＬＥＤランプを取り付けるプレート端部の曲げ立ち上がりにより遮光されるため、ＬＥＤランプの照射方向に目地部材の投影像が生じにくくなる。また、ＬＥＤランプの交換作業は、ＬＥＤランプ取り付けプレートを天井から取外すことで容易に作業が可能であり、ＬＥＤランプ取り付けプレートの端部の曲げ立ち上がりで遮光するため、部品点数の増加もない。
【図面の簡単な説明】
【０００８】
【図１】エレベータの乗りかごの内部を示す斜視図である。
【図２】乗りかご照明装置を下方から見た平面図である。
【図３】乗りかご照明装置の断面図である。
【図４】ＬＥＤユニットの詳細を示す図である。
【発明を実施するための形態】
【０００９】
以下、本発明の一実施例を図面に基づいて説明する。
【００１０】
図１は本実施例のエレベータの乗りかごの内部を示す斜視図である。ここに示すように、エレベータの乗りかご１は、床２と、床２に立設される側板３と、出入口となるドア４と、頂上部を形成する天井５と、天井５に設置される照明装置６を有している。なお、図１では手前側の側板３の図示を省略している。
【００１１】
照明装置６の下方には透光板７が備えられ、また、天井５の四辺にはフレーム８があり、これで透光板７を支える構成としている。
【００１２】
図２、図３は、照明装置６を下方から見た平面図、その断面図である。
【００１３】
照明装置６は、床２に対向するように天井５に設けられたものであり、乗りかご１の前後方向に二つのＬＥＤユニット１２を並べて配置している。ＬＥＤユニット１２を覆う透光板７は、乳白色のアクリル樹脂からなる透光プレート７ａと、透光プレート７ａの端部を囲む目地部材７ｂから構成されており、各ＬＥＤユニット１２に対応する透光プレート７ａの間に目地部材７ｂを配置している。なお、図２では、乗りかご１の前後方向に矩形のＬＥＤユニット１２、透光プレート７ａを並べたが、これらの形状、数は、乗りかご１の天井のデザインなどに応じて、任意に設定して良い。
【００１４】
図３は図２のＡ−Ａでの照明装置６の断面図である。ここに示すように、天井５には二つのＬＥＤユニット１２が左右に並べてネジなどで取り付けられており、また、天井５の四辺に設けたフレーム８には透光プレート７ａと目地部材７ｂからなる透光板７が載置されている。
【００１５】
ＬＥＤユニット１２は、下方を向いたＬＥＤランプ９と、ＬＥＤランプ９を取り付けたＬＥＤ基板１０と、ＬＥＤ基板１０を取り付けたプレート１１から構成されている。なお、ＬＥＤ基板１０には後述する電線１３を介して外部電源から電力が供給される。
【００１６】
本実施例では、目地部材７ｂの近傍に明るさ斑が生じることを防ぐため、プレート１１の端部に遮光壁１１ａを設けている。この遮光壁１１ａは、プレート１１の端部を曲げ加工して、他方のＬＥＤユニット側に設けられたＬＥＤランプと目地部材の上端部を結ぶ直線よりも下方まで伸ばしたものであり、プレート１１と一体化することにより比較的小さく構成することができる。
【００１７】
次に、図３を用いて、左側のＬＥＤユニット１２の右列のＬＥＤランプ９のみを点灯した状態を例に、遮光壁１１ａが明るさ斑を改善する理由を説明する。
【００１８】
遮光壁１１ａを設けない場合、左側のＬＥＤユニット１２の右列のＬＥＤランプ９を点灯すると、矢印３１と矢印３４で挟まれる領域、すなわち、左側の透光プレート７ａのほぼ全域（矢印３１と目地部材７ｂで挟まれる領域）、目地部材７ｂの左面と上面、および、右側の透光プレート７ａの一部（矢印３３と矢印３４で挟まれる領域）に光が照射される。一方、目地部材７ｂの影となる、目地部材７ｂの右面と、右側の透光プレート７ａの目地部材７ｂ近傍（目地部材７ｂと矢印３３で挟まれる領域）には光が届かない。
【００１９】
すなわち、遮光壁１１ａを設けない場合、左側のＬＥＤユニット１２を点灯すると、右側の透光プレート７ａの目地部材７ｂ近傍には暗い領域（目地部材７ｂと矢印３３に挟まれる領域）と明るい領域（矢印３３と矢印３４に挟まれる領域）からなる明るさ斑が発生する。同様の理由で、右側のＬＥＤユニット１２を点灯すると、左側の透光プレート７ａの目地部材７ｂ近傍でも明るさ斑が発生する。このため、左右のＬＥＤユニット１２をともに点灯する実使用時においても、目地部材７ｂの両側に明るさ斑が発生してしまう。
【００２０】
これに対し、遮光壁１１ａを設けた場合、左側のＬＥＤユニット１２の右列のＬＥＤランプ９からは矢印３１と矢印３２で挟まれる領域（左側の透光プレート７ａのほぼ全域、目地部材７ｂの左面）に光が照射される。一方、遮光壁１１ａの影となる、目地部材７ｂの上面と右面、および、右側の透光プレート７ａには光が届かない。
【００２１】
すなわち、遮光壁１１ａを設けた場合、左側のＬＥＤユニット１２を点灯しても右側の透光プレート７ａには光が照射されないため、明るさ斑は発生しない。同様の理由で、右側のＬＥＤユニット１２が点灯しても、左側の透光プレート７ａでも明るさ斑は発生しない。このため、左右のＬＥＤユニット１２をともに点灯する実使用時においても、目地部材７ｂの両側に明るさ斑は発生しない。
【００２２】
図４は、本実施例のＬＥＤユニット１２の詳細を示す。ＬＥＤユニット１２には前述したようにＬＥＤランプ９を実装したＬＥＤ基板１０と、プレート１１があり、さらにＬＥＤ基板１０に通電するための電線１３から構成される。この電線１３は、例えば天井５の外側に設置される照明電源（図示なし）まで敷設する必要があるが、ＬＥＤ基板１０の周囲に電線１３を敷設すると、電線のたるみなどにより透光板７に配線影が生じる恐れがある。本実施例では、プレート１１の遮光壁１１ａの外側底面に、フックや貫通穴からなる配線保持部１１ｂを設けており、これを用いて、電線１３をプレート１１の外側にたるみなく敷設することが可能となる。これにより、配線影が生じる恐れもない。
【００２３】
以上で説明した、本実施例の構成によれば、プレート１１と一体に構成した簡易な遮光壁１１ａで、目地部材７ｂを跨ぐ光を遮光することができるため、透光プレート７ａの目地部材７ｂ近傍に発生する明るさ斑を解消することができ、明るさ斑が原因となる照明装置６の意匠性の劣化を防止できる。
【００２４】
また、本実施例では、遮光壁１１ａをＬＥＤランプ９に近接配置しているので、目地部材７ｂを跨ぐ光を全て遮光するために必要とされる高さを低くすることができる。すなわち、遮光壁１１ａを形成するために必要とされるプレート１１の大きさを抑制することができコストアップを抑制することができる。さらに、ＬＥＤランプ９に近接配置した遮光壁１１ａは、ＬＥＤランプ９のガード部材としても機能し、透光板７の取付け、取外し時に、透光板７がＬＥＤランプ９に接触するのを防止することができる。
【００２５】
なお、本実施例では、部品点数の増加やコストアップを抑制するため、プレート１１を曲げ加工することで遮光壁１１ａを形成したが、両者を別々の部品として用意し、ネジや接着剤で一体化する構成としても良い。
【符号の説明】
【００２６】
１…エレベータの乗りかご，２…床，３…側板，４…ドア，５…天井，６…照明装置，７…透光板，７ａ…透光プレート，７ｂ…目地部材，８…フレーム，９…ＬＥＤランプ，１０…ＬＥＤ基板，１１…プレート，１１ａ…遮光壁，１１ｂ…配線保持部，１２…ＬＥＤユニット，１３…電線
【図１】
2018025388.tif 000003
【図２】
2018025388.tif 000004
【図３】
2018025388.tif 000005
【図４】
2018025388.tif 000006
【国際調査報告】
2018025388.tif 000007
2018025388.tif 000008
2018025388.tif 000009
2018025388.tif 000010